(57)【要約】      （修正有）【課題】作業性良く、短い作業時間で両線体を掴持する掴線具を提供する。【解決手段】互いに平行な一対の線体１６、１７を掴持する掴線具であって、内面側に滑り止めエッジ３が設けられた第１壁板８と、第１壁板８に対向し内面側に傾斜ガイド１が設けられた第２壁板７とを有する断面略コ字状の第１チャネル部材５と、内面側に滑り止めエッジ４が設けられた第３壁板１０と、第３壁板１０に対向し内面側に傾斜ガイド２が設けられた第４壁板９とを有する断面略コ字状の第２チャネル部材６とを備え、第１チャネル部材５と第２チャネル部材６の傾斜ガイド１、２が滑動可能に係合するように第１チャネル部材５と第２チャネル部材６とを組み合わせた状態で、第１チャネル部材５と第２チャネル部材６とを逆方向に移動させたときに、第１壁板８と第４壁板９との間隔及び第３壁板１０と第２壁板７との間隔が減少するように、各傾斜ガイド１、２を構成した。【選択図】図５
2006254578.tif 000002
【特許請求の範囲】
【請求項１】
互いに平行な一対の線体を、これら線体に逆方向に作用する張力に抗して掴持する掴線具であって、内面側に滑り止め部が設けられた第１壁板と、第１壁板に対向し内面側に傾斜ガイド部が設けられた第２壁板とを有する断面略コ字状の第１チャネル部材と、内面側に滑り止め部が設けられた第３壁板と、第３壁板に対向し内面側に傾斜ガイド部が設けられた第４壁板とを有する断面略コ字状の第２チャネル部材とを備え、第１チャネル部材の第２壁板と第２チャネル部材の第４壁板とのそれぞれの傾斜ガイド部が滑動可能に係合するように第１チャネル部材と第２チャネル部材とを組み合わせた状態で、第１チャネル部材と第２チャネル部材とを逆方向に移動させたときに、第１壁板と第４壁板との間隔及び第３壁板と第２壁板との間隔が減少するように、各傾斜ガイド部を構成したことを特徴とする掴線具。
【請求項２】
一方の線体は、その張力方向に配置された碍子に巻回されて他方の線体と一体に形成される請求項１記載の掴線具。
【発明の詳細な説明】
【技術分野】
【０００１】
本発明は、互いに平行な一対の線体を、これら線体に逆方向に作用する張力に抗して掴持する掴線具に関する。
【背景技術】
【０００２】
架空電線路には、２万Ｖ〜３万Ｖの電圧がかかる高圧架空電線路と約６６００Ｖの電圧がかかる中圧架空電線路と約３００Ｖ以下の電圧がかかる低圧架空電線路とがある。低圧架空電線路は従来、バインド線により電柱に引き留められていた。
【０００３】
図６は、従来の掴線方法を説明するための斜視図である。低圧架空電線路１５は、直径約２ｃｍの銅線をゴムにより被覆して構成される。まず、電柱に設けられた碍子１８に低圧架空電線路１５を巻きつけて折り返し、電線部１６及び１７を構成する。そして、碍子１８から所定距離（例えば１４ｃｍ）離れた位置から電線部１６及び１７にバインド線９１を電線部長手方向に所定長さ（例えば約２４ｃｍ）だけペンチで巻きつける。バインド線９１の端末９１Ａは巻きつけたバインド線９１に沿わし、端末９１Ｂはねじって押さえ込む。次に、バインド線９１から約２５ｃｍ離してバインド線９２を電線部１６及び１７にペンチで巻きつけ端末９２Ａをねじって押さえ込む。
【発明の開示】
【発明が解決しようとする課題】
【０００４】
しかしながら上記従来の構成では、バインド線をペンチで電線部に巻きつけるので、作業性が悪く、作業時間も長いという問題がある。
【０００５】
本発明の目的は、上記従来例の問題点を解決し得る掴線具を提供することにある。
【課題を解決するための手段】
【０００６】
本発明に係る掴線具は、互いに平行な一対の線体を、これら線体に逆方向に作用する張力に抗して掴持する掴線具であって、内面側に滑り止め部が設けられた第１壁板と、第１壁板に対向し内面側に傾斜ガイド部が設けられた第２壁板とを有する断面略コ字状の第１チャネル部材と、内面側に滑り止め部が設けられた第３壁板と、第３壁板に対向し内面側に傾斜ガイド部が設けられた第４壁板とを有する断面略コ字状の第２チャネル部材とを備え、第１チャネル部材の第２壁板と第２チャネル部材の第４壁板とのそれぞれの傾斜ガイド部が滑動可能に係合するように第１チャネル部材と第２チャネル部材とを組み合わせた状態で、第１チャネル部材と第２チャネル部材とを逆方向に移動させたときに、第１壁板と第４壁板との間隔及び第３壁板と第２壁板との間隔が減少するように、各傾斜ガイド部を構成したことを特徴とする。
【０００７】
この構成によれば、第１チャネル部材の第１壁板の内面と第２チャネル部材の第４壁板の外面との間に一方の線体を挟み込み、第２チャネル部材の第３壁板の内面と第１チャネル部材の第１壁板の外面との間に他方の線体を挟み込んだ状態で、両線体に逆方向の張力を作用させると、第１チャネル部材の第２壁板と第２チャネル部材の第４壁板のそれぞれの傾斜ガイド部が互いに滑動して、第１壁板と第４壁板との間隔及び第３壁板と第２壁板との間隔が減少する。
【０００８】
従って、一方の線体は第１チャネル部材の第１壁板と第２チャネル部材の第４壁板とにより両側から締め付けられ、他方の線体は第２チャネル部材の第３壁板と第１チャネル部材の第２壁板とにより両側から締め付けられる。その結果、一対の線体を掴線具に収容して両線体を逆方向に引っ張るという簡単な作業により短時間で両線体を掴持することができる。
【０００９】
一方の線体を、その張力方向に配置された碍子に巻回して他方の線体と一体に形成すると、架空電線路の引き留め作業に適用することができ、一方の線体に張力を与えると、一方の線体と一体に形成した他方の線体に逆方向の張力が与えられて両線体が締め付けられ、簡単な作業により短時間で架空電線路を引き留めることができる。
【発明の効果】
【００１０】
本発明によれば、作業性良く、短い作業時間で両線体を掴持する掴線具を提供することができる。
【発明を実施するための最良の形態】
【００１１】
図１は本実施の形態に係る掴線具１００の外観を示す斜視図であり、図２は掴線具１００に設けた一対のチャネル部材５、６の外観を示す斜視図であり、図３（ａ）及び図３（ｂ）は掴線具１００の断面図である。図４（ａ）及び図４（ｂ）は掴線具１００の拡大断面図である。掴線具１００は、断面略コ字状の一対のチャネル部材５、６を備える。チャネル部材５は互いに対向する一対の壁板７、８を有し、チャネル部材６は互いに対向する一対の壁板９、１０を有する。チャネル部材５に設けられた壁板７の先端から壁板８側に折り曲げられた係合板２１が形成され、壁板８の先端から壁板７側に折り曲げられたガイド板２３が形成される。チャネル部材６に設けられた壁板９の先端から壁板１０側に折り曲げられた係合板２２が形成され、壁板１０の先端から壁板９側に折り曲げられたガイド板２４が形成される。
【００１２】
掴線具１００は、チャネル部材５の壁板９の内面１１とチャネル部材６の壁板７の内面１２とを互いに対向させて構成する。低圧架空電線路１５は、直径約２ｃｍの銅線をゴムにより被覆して構成され、電柱に設けられた碍子１８に巻きつけられる電線部１６と碍子１８により折り返された電線部１７とからなる。
【００１３】
ガイド板２３の端面と壁板９の外面１３とは、電線部１６の直径に相当する隙間を空けて構成され、ガイド板２４の端面と壁板７の外面１４とは、電線部１７の直径に相当する隙間を空けて構成される。電線部１６はチャネル部材５の壁板８とチャネル部材６の壁板９とにより挟み込むようにして収容され、電線部１７はチャネル部材６の壁板１０とチャネル部材５の壁板７とにより挟み込むようにして収容される。
【００１４】
壁板８の内面１９には、電線部１６の張力方向Ａ１への滑りを防止するために内面１９に対して傾斜する滑り止めエッジ３が長手方向に複数個形成されている。壁板１０の内面２０には、電線部１７の張力方向Ａ２への滑りを防止するために内面２０に対して傾斜する滑り止めエッジ４が長手方向に複数個形成されている。滑り止めエッジ３、４は、それぞれ先端が壁板８、１０から切り離されて電線部１６及び１７の外被に喰い込むように、基部及び側部は壁板８、１０につながっているようにプレス加工により凹設されている。
【００１５】
チャネル部材５の壁板７の内面１２に、電線部１６の張力方向Ａ１に面して傾斜する傾斜ガイド１が長手方向に複数個形成される。チャネル部材６の壁板９の内面１１には、各傾斜ガイド１にそれぞれ滑動可能に係合する複数個の傾斜ガイド２が形成される。傾斜ガイド１、２は、それぞれ先端が壁板７、９から切り離され、基部及び側部２５、２６が壁板７、９につながっているようにプレス加工により凹設されている。
【００１６】
このように構成された掴線具１００の動作を説明する。図３（ｂ）は掴線具１００の動作を説明するための断面図であり、図５（ａ）及び図５（ｂ）は掴線具１００の動作を説明するための拡大断面図である。
【００１７】
まず、碍子１８に低圧架空電線路１５を巻きつけて折り返す。そして、チャネル部材５の壁板８とチャネル部材６の壁板９との間に電線部１６を収容し、チャネル部材６の壁板１０とチャネル部材５の壁板７との間に電線部１７を収容する。次に、矢印Ａ１方向の張力を電線部１６に作用させると矢印Ａ２の逆方向の張力が電線部１７に作用する。
【００１８】
チャネル部材５は、電線部１６に矢印Ａ１方向の張力が作用すると、電線部１６の滑りを防止する滑り止め部３により、矢印Ａ１方向に引っ張られる。このため、傾斜ガイド１は傾斜ガイド２に沿って矢印Ｐ１方向に滑動する。従って、チャネル部材５の壁板７はチャネル部材６の壁板１０に向かって移動して電線部１７の外周側面を押し、壁板８はチャネル部材６の壁板９に向かって移動して電線部１６の外周側面を押す。
【００１９】
一方、チャネル部材６は、電線部１７に矢印Ａ２方向の張力が作用するので、滑り止め部４により矢印Ａ２方向に引っ張られる。このため、傾斜ガイド２は傾斜ガイド１に沿って矢印Ｐ２方向に滑動する。従って、チャネル部材６の壁板９はチャネル部材５の壁板８に向かって移動して電線部１６の外周側面を押し、チャネル部材６の壁板１０はチャネル部材５の壁板７に向かって移動して電線部１７の外周側面を押す。
【００２０】
このように、電線部１６はチャネル部材５の壁板８とチャネル部材６の壁板９とにより両側から押し付けられ、電線部１７はチャネル部材５の壁板７とチャネル部材６の壁板１０とにより両側から押し付けられる。その結果、電線部１６，１７を収容して電線部１６を引っ張るという簡単な作業で低圧架空電線路１５を掴持して碍子１８に引き留めることができる。
【産業上の利用可能性】
【００２１】
本発明は、互いに平行な一対の線体を、これら線体に逆方向に作用する張力に抗して掴持する掴線具に適用することができる。
【図面の簡単な説明】
【００２２】
【図１】本実施の形態に係る掴線具の外観を示す斜視図である。
【図２】本実施の形態に係る掴線具に設けた一対のチャネル部材の外観を示す斜視図である。
【図３】（ａ）は本実施の形態に係る掴線具の断面図であり、（ｂ）は掴線具の動作を説明するための断面図である。
【図４】（ａ）及び（ｂ）は本実施の形態に係る掴線具の拡大断面図である。
【図５】（ａ）及び（ｂ）は、本実施の形態に係る掴線具の動作を説明するための拡大断面図である。
【図６】従来の掴線方法を説明するための斜視図である。
【符号の説明】
【００２３】
１、２傾斜ガイド
３、４滑り止めエッジ
５、６チャネル部材
７、８、９、１０  壁板
１１、１２  内面
１３、１４  外面
１５  低圧架空電線路
１６、１７  電線部
１８  碍子
１００  掴線具
【図１】
2006254578.tif 000003
【図２】
2006254578.tif 000004
【図３】
2006254578.tif 000005
【図４】
2006254578.tif 000006
【図５】
2006254578.tif 000007
【図６】
2006254578.tif 000008